【手続補正書】
【提出日】平成20年8月28日(2008.8.28)
【手続補正１】
【補正対象書類名】明細書
【補正対象項目名】特許請求の範囲
【補正方法】変更
【補正の内容】
【特許請求の範囲】
【請求項１】  画像が形成されたシートに対して処理を行うシート処理装置において、
シートを排出する排出ローラ対と、
前記排出ローラ対の下流に対向して設けられ、前記排出ローラ対から排出されたシートを支持する第１のシート積載部を構成する第１位置と、シートを支持しない第２位置とにシート排出方向と直交する幅方向に移動可能で、かつ支持したシートの幅方向側に当接してシートを規制する整合部材対と、
前記整合部材対の略鉛直下方に位置し、前記排出ローラ対から排出されたシート、或は処理が行われた後、排出されるシートを支持する第２のシート積載部と、
を備え、
前記排出ローラ対は、シートを排出可能な第１の状態と、前記排出ローラ対を構成するローラが離間する第２の状態とをとることが可能であり、前記排出ローラ対が前記第１の状態で、かつ前記整合部材対が前記第２位置にあるときシートは前記第２のシート積載部に直接積載され、前記排出ローラ対が前記第２の状態で、かつ前記整合部材対が前記第１位置にあるとき前記整合部材対によるシートの整合を可能とするシート整合積載部が形成されることを特徴とするシート処理装置。
【請求項２】  前記第１のシート積載部に積載されたシートのシート排出方向の整合を行うシート戻し部材と、前記シート戻し部材によって戻されたシートの後端を揃える壁部材とを備え、前記シート整合積載部は前記壁部材と前記排出ローラ対との間のシート搬送路及び前記第１のシート積載部とにより形成されるものであることを特徴とする請求項１記載のシート処理装置。
【請求項３】  前記整合部材対は、それぞれ前記排出ローラ対から排出されたシートを支持して前記第１のシート積載部を構成する支持部と、シートの幅方向側端に当接する当接面とを有していることを特徴とする請求項１記載のシート処理装置。
【請求項４】  前記第１のシート積載部は、前記整合部材対の支持部の対向する端部間の幅方向の間隔が前記排出ローラ対から排出されたシートの幅よりも狭くなったときに形成されるものであり、前記第２位置は前記支持部の端部間の幅方向の間隔がシートの幅よりも広くなる位置であることを特徴とする請求項３記載のシート処理装置。
【請求項５】  前記整合部材対は前記整合したシートに対する処理が終了した後、前記第２位置に移動し、かつ前記排出ローラ対が前記第１の状態となることで、処理されたシートを前記第２のシート積載部に排出させることを特徴とする請求項４記載のシート処理装置。
【請求項６】  前記シート整合積載部に積載された後、整合されたシートの所定位置を綴じるステイプラを備えたことを特徴とする請求項１乃至５のいずれか１項に記載のシート処理装置。
【請求項７】  画像が形成されたシートに対して処理を行うシート処理装置において、
シートを排出する排出ローラ対と、
シートを搬送して前記排出ローラ対まで向かわせる搬送ローラ対と、
前記排出ローラ対の上流に対向して設けられ、前記搬送ローラ対により搬送されたシートのシート搬送方向と直交する幅方向側端に当接してシートを規制する整合部材対と、
前記排出ローラ対から排出されたシート、或は処理が行われた後、排出されるシートを支持するシート積載部と、
を備え、
前記排出ローラ対は、シートを排出可能な第１の状態と、前記排出ローラ対を構成するローラが離間する第２の状態とをとることが可能であり、前記排出ローラ対が前記第１の状態のときシートは前記シート積載部に直接積載され、前記排出ローラ対が前記第２の状態のとき前記整合部材対によるシートの整合を可能とするシート整合積載部が形成されることを特徴とするシート処理装置。
【請求項８】  前記搬送ローラ対と前記排出ローラ対との間に設けられ、排出されたシートのシート排出方向の整合を行うシート戻し部材と、
前記シート戻し部材によって戻されたシートの後端を揃える壁部材と、
を備え、
前記シート整合積載部は前記壁部材と前記排出ローラ対との間のシート搬送路により形成されるものであることを特徴とする請求項７記載のシート処理装置。
【請求項９】  前記壁部材と排出ローラ対との間のシート搬送路により形成されるシート整合積載部に積載された後、整合されたシートの所定位置を綴じるステイプラを備えたことを特徴とする請求項６乃至８のいずれか１項に記載のシート処理装置。
【請求項１０】  画像が形成されたシートに対して処理を行うシート処理装置において、
シートを排出する排出ローラ対と、
シートを搬送して前記排出ローラ対まで向かわせる搬送ローラ対と、
前記排出ローラ対の上流に対向して設けられ、前記搬送ローラ対により搬送されたシートのシート搬送方向と直交する幅方向側端に当接してシートを規制する整合部材対と、
前記排出ローラ対から排出されたシート、或は前記処理が行われた後、排出されるシートを支持する昇降可能なシート積載部と、
を備え、
前記排出ローラ対は、シートを排出可能な第１の状態と、前記排出ローラ対を構成するローラが離間する第２の状態とをとることが可能であり、前記排出ローラ対が前記第１の状態のときシートは前記シート積載部に直接積載され、前記排出ローラ対が前記第２の状態のとき前記整合部材対によるシートの整合を可能とするシート整合積載部が形成されることを特徴とするシート処理装置。
【請求項１１】  前記搬送ローラ対と前記排出ローラ対との間に設けられ、排出されたシートのシート排出方向の整合を行うシート戻し手段と、
前記シート戻し部材によって戻されたシートの後端を揃える壁部材と、
を備え、
前記シート整合積載部は前記壁部材と前記排出ローラ対との間のシート搬送路及びシートを支持する位置に移動した前記シート積載部により形成されるものであることを特徴とする請求項１０記載のシート処理装置。
【請求項１２】  前記壁部材と排出ローラ対との間のシート搬送路により形成されるシート整合積載部に積載された後、整合されたシートの所定位置を綴じるステイプラを備えたことを特徴とする請求項１０又は１１記載のシート処理装置。
【請求項１３】  前記排出ローラ対は、前記第２の状態にあるときには駆動が切断されることを特徴とする請求項１乃至１２のいずれか１項に記載のシート処理装置。
【請求項１４】  前記整合部材対は、シートの側面に当接することで規定の位置にシートを整合する凸部を複数有することを特徴とする請求項１乃至１３のいずれか１項に記載のシート処理装置。
【請求項１５】  前記凸部は耐磨耗性の高い材料で形成されていることを特徴とする請求項１４記載のシート処理装置。
【請求項１６】  画像形成部と、前記画像形成部により画像が形成されたシートを処理するシート処理装置を備えた画像形成装置において、
前記シート処理装置は前記請求項１乃至１５のいずれか１項に記載のものであることを特徴とする画像形成装置。
【手続補正２】
【補正対象書類名】明細書
【補正対象項目名】０００６
【補正方法】変更
【補正の内容】
【０００６】
【課題を解決するための手段】
本発明は、画像が形成されたシートに対して処理を行うシート処理装置において、シートを排出する排出ローラ対と、前記排出ローラ対の下流に対向して設けられ、前記排出ローラ対から排出されたシートを支持する第１のシート積載部を構成する第１位置と、シートを支持しない第２位置とにシート排出方向と直交する幅方向に移動可能で、かつ支持したシートの幅方向側に当接してシートを規制する整合部材対と、前記整合部材対の略鉛直下方に位置し、前記排出ローラ対から排出されたシート、或は処理が行われた後、排出されるシートを支持する第２のシート積載部と、を備え、前記排出ローラ対は、シートを排出可能な第１の状態と、前記排出ローラ対を構成するローラが離間する第２の状態とをとることが可能であり、前記排出ローラ対が前記第１の状態で、かつ前記整合部材対が前記第２位置にあるときシートは前記第２のシート積載部に直接積載され、前記排出ローラ対が前記第２の状態で、かつ前記整合部材対が前記第１位置にあるとき前記整合部材対によるシートの整合を可能とするシート整合積載部が形成されることを特徴とするものである。
【手続補正３】
【補正対象書類名】明細書
【補正対象項目名】０００７
【補正方法】変更
【補正の内容】
【０００７】
また本発明は、前記第１のシート積載部に積載されたシートのシート排出方向の整合を行うシート戻し部材と、前記シート戻し部材によって戻されたシートの後端を揃える壁部材とを備え、前記シート整合積載部は前記壁部材と前記排出ローラ対との間のシート搬送路及び前記第１のシート積載部とにより形成されるものであることを特徴とするものである。
【手続補正４】
【補正対象書類名】明細書
【補正対象項目名】０００８
【補正方法】変更
【補正の内容】
【０００８】
また本発明は、前記整合部材対は、それぞれ前記排出ローラ対から排出されたシートを支持して前記第１のシート積載部を構成する支持部と、シートの幅方向側端に当接する当接面とを有していることを特徴とするものである。
【手続補正５】
【補正対象書類名】明細書
【補正対象項目名】０００９
【補正方法】変更
【補正の内容】
【０００９】
また本発明は、前記第１のシート積載部は、前記整合部材対の支持部の対向する端部間の幅方向の間隔が前記排出ローラ対から排出されたシートの幅よりも狭くなったときに形成されるものであり、前記第２位置は前記支持部の端部間の幅方向の間隔がシートの幅よりも広くなる位置であることを特徴とするものである。
【手続補正６】
【補正対象書類名】明細書
【補正対象項目名】００１０
【補正方法】変更
【補正の内容】
【００１０】
また本発明は、前記整合部材対は前記整合したシートに対する処理が終了した後、前記第２位置に移動し、かつ前記排出ローラ対が前記第１の状態となることで、処理されたシートを前記第２のシート積載部に排出させることを特徴とするものである。
【手続補正７】
【補正対象書類名】明細書
【補正対象項目名】００１２
【補正方法】変更
【補正の内容】
【００１２】
また本発明は、画像が形成されたシートに対して処理を行うシート処理装置において、シートを排出する排出ローラ対と、シートを搬送して前記排出ローラ対まで向かわせる搬送ローラ対と、前記排出ローラ対の上流に対向して設けられ、前記搬送ローラ対により搬送されたシートのシート搬送方向と直交する幅方向側端に当接してシートを規制する整合部材対と、前記排出ローラ対から排出されたシート、或は処理が行われた後、排出されるシートを支持するシート積載部と、を備え、前記排出ローラ対は、シートを排出可能な第１の状態と、前記排出ローラ対を構成するローラが離間する第２の状態とをとることが可能であり、前記排出ローラ対が前記第１の状態のときシートは前記シート積載部に直接積載され、前記排出ローラ対が前記第２の状態のとき前記整合部材対によるシートの整合を可能とするシート整合積載部が形成されることを特徴とするものである。
【手続補正８】
【補正対象書類名】明細書
【補正対象項目名】００１３
【補正方法】変更
【補正の内容】
【００１３】
また本発明は、前記搬送ローラ対と前記排出ローラ対との間に設けられ、排出されたシートのシート排出方向の整合を行うシート戻し部材と、前記シート戻し部材によって戻されたシートの後端を揃える壁部材と、を備え、前記シート整合積載部は前記壁部材と前記排出ローラ対との間のシート搬送路により形成されるものであることを特徴とするものである。
【手続補正９】
【補正対象書類名】明細書
【補正対象項目名】００１５
【補正方法】変更
【補正の内容】
【００１５】
また本発明は、画像が形成されたシートに対して処理を行うシート処理装置において、シートを排出する排出ローラ対と、シートを搬送して前記排出ローラ対まで向かわせる搬送ローラ対と、前記排出ローラ対の上流に対向して設けられ、前記搬送ローラ対により搬送されたシートのシート搬送方向と直交する幅方向側端に当接してシートを規制する整合部材対と、前記排出ローラ対から排出されたシート、或は前記処理が行われた後、排出されるシートを支持する昇降可能なシート積載部と、を備え、前記排出ローラ対は、シートを排出可能な第１の状態と、前記排出ローラ対を構成するローラが離間する第２の状態とをとることが可能であり、前記排出ローラ対が前記第１の状態のときシートは前記シート積載部に直接積載され、前記排出ローラ対が前記第２の状態のとき前記整合部材対によるシートの整合を可能とするシート整合積載部が形成されることを特徴とするものである。
【手続補正１０】
【補正対象書類名】明細書
【補正対象項目名】００１６
【補正方法】変更
【補正の内容】
【００１６】
また本発明は、前記搬送ローラ対と前記排出ローラ対との間に設けられ、排出されたシートのシート排出方向の整合を行うシート戻し手段と、前記シート戻し部材によって戻されたシートの後端を揃える壁部材と、を備え、前記シート整合積載部は前記壁部材と前記排出ローラ対との間のシート搬送路及びシートを支持する位置に移動した前記シート積載部により形成されるものであることを特徴とするものである。
【手続補正１１】
【補正対象書類名】明細書
【補正対象項目名】００１９
【補正方法】変更
【補正の内容】
【００１９】
また本発明は、前記整合部材対は、シートの側面に当接することで規定の位置にシートを整合する凸部を複数有することを特徴とするものである。